(57)【要約】【課題】操作パネルによって装置本体の剛性を向上させることが期待できない場合でも、高い剛性を確保することのできるハウジング構造を得る。【解決手段】インクジェットプリンター１は、装置本体を構成する記録部２のベースを構成するベースフレーム３８と、ベースフレーム３８の両サイドに取り付けられて装置本体の外観を構成する右ハウジング部材４０及び左ハウジング部材４２と、を備えている。ベースフレーム３８には装置前後方向に延びるとともに垂直方向に沿って立設された右側垂直壁部３８ａ、左側垂直壁部３８ｂが形成されており、これら垂直壁部の上端部と、右ハウジング部材４０及び左ハウジング部材４２の裏面と、のこれらが密着され、摩擦力が生じる様に構成される。【選択図】図５
2013146996.tif 000002
【特許請求の範囲】
【請求項１】
媒体に記録を行う記録手段を備える装置本体のベースを構成するベースフレームと、
前記ベースフレームの両サイドに取り付けられて前記装置本体の外観を構成する右ハウジング部材及び左ハウジング部材と、
前記ベースフレームにおいて装置前後方向に延びるとともに垂直方向に沿って立設された、前記右ハウジング部材及び前記左ハウジング部材のそれぞれと係合する垂直壁部と、
前記右ハウジング部材及び前記左ハウジング部材において前記垂直壁部と交差する面を成す板状部と、
前記垂直壁部の上端部と前記板状部とを密着させて前記上端部と前記板状部との間に摩擦力を生じさせる摩擦発生手段と、
を備えた記録装置。
【請求項２】
請求項１に記載の記録装置において、前記右ハウジング部材と前記左ハウジング部材との間で、前記記録手段により記録が行われて排出される媒体の排出口が形成される、
ことを特徴とする記録装置。
【請求項３】
請求項２に記載の記録装置において、前記装置本体の上部において回動可能に設けられ、回動することにより開閉可能なスキャナユニットと、
前記スキャナユニットに設けられて前記スキャナユニットとともに回動する操作パネルユニットと、を備え、
前記操作パネルユニットは、前記スキャナユニットが閉じた状態において装置前面を構成するとともに、当該操作パネルユニットの下縁が前記排出口を形成する、
ことを特徴とする記録装置。
【請求項４】
請求項３に記載の記録装置において、前記右ハウジング部材及び前記左ハウジング部材のそれぞれの上面高さが、装置前方側に向かって低くなる、
ことを特徴とする記録装置。
【発明の詳細な説明】
【技術分野】
【０００１】
本発明は、ファクシミリやプリンターに代表される記録装置に関する。
【背景技術】
【０００２】
ファクシミリやプリンターに代表される記録装置においては、記録機能の他に、画像読取機能を備えた所謂複合機と呼ばれるものがある。即ち、記録用紙に記録を行う記録装置の本体上部に、スキャナユニットが設けられている。
【０００３】
スキャナユニットは、記録装置本体に対して回動可能に設けられ、回動することにより、開姿勢と閉姿勢とを切り換え可能となっている。スキャナユニットは、通常使用時には閉姿勢で保持されるが、例えば記録装置本体内部で紙ジャムが生じた場合のジャム処理の際や、インクカートリッジ交換の際に、スキャナユニットが開かれる様になっている（例えば、特許文献１）。
【先行技術文献】
【特許文献】
【０００４】
【特許文献１】特開２０１１−２４２９１０号公報
【発明の概要】
【発明が解決しようとする課題】
【０００５】
特許文献１に示される記録装置では、操作パネルが装置本体に対して前面側に配置され、パネル面が装置前面を構成している。これにより、スキャナユニットを開いた状態でも、操作パネルをスキャナユニットの天面に設ける構成に比して良好にパネル面を視認することができる。
【０００６】
ところで、特許文献１に示される記録装置では、操作パネルの下縁が用紙排出口を形成した状態となっており、そして操作パネルが装置本体前面の右側構造部と左側構造部とを接続する構造となっている。即ち、構造上、用紙排出口に梁が掛け渡された様な状態となっており、これによって、装置本体の全体的な剛性が確保されており、とくに捻れに対抗できる剛性が確保されている。
【０００７】
しかしながら、操作パネルに小型軽量のものを採用したいといった要請など、操作パネルに装置本体の剛性を向上させる機能を期待できない状況も生じている。  
そこで本発明はこの様な状況に鑑みなされたものであり、その目的は、装置前面に配置する操作パネルによって装置本体の剛性を向上させることが期待できない場合でも、高い剛性を確保することのできるハウジング構造を得ることにある。
【課題を解決するための手段】
【０００８】
上記課題を解決する為の、本発明の第１の態様に係る記録装置は、媒体に記録を行う記録手段を備える装置本体のベースを構成するベースフレームと、前記ベースフレームの両サイドに取り付けられて前記装置本体の外観を構成する右ハウジング部材及び左ハウジング部材と、前記ベースフレームにおいて装置前後方向に延びるとともに垂直方向に沿って立設された、前記右ハウジング部材及び前記左ハウジング部材のそれぞれと係合する垂直壁部と、前記右ハウジング部材及び前記左ハウジング部材において前記垂直壁部と交差する面を成す板状部と、前記垂直壁部の上端部と前記板状部とを密着させて前記上端部と前記板状部との間に摩擦力を生じさせる摩擦発生手段と、を備えた記録装置である。
【０００９】
本態様によれば、装置本体のベースを構成するベースフレームには前後方向に延びる垂直壁部が形成され、ベースフレームの両側に取り付けられる右ハウジング及び左ハウジングには板状部が形成され、そして前記垂直壁部の上端部と前記板状部とが摩擦発生手段により密着されて両者の間に摩擦力が生じるので、装置の前後方向に沿って、ベースフレームと右ハウジング及び左ハウジングが一体化した様な状態となる。これにより、右ハウジングと左ハウジングとの間の別個の部品で接続せずとも、高い剛性のハウジング構造を得ることができる。
【００１０】
本発明の第２の態様は、第１の態様において、前記右ハウジング部材と前記左ハウジング部材との間で、前記記録手段により記録が行われて排出される媒体の排出口が形成されることを特徴とする。
【００１１】
本態様によれば、前記右ハウジング部材と前記左ハウジング部材との間で、前記記録手段により記録が行われて排出される媒体の排出口が形成される構成において、上記第１の態様の作用効果を得ることができる。
【００１２】
本発明の第３の態様は、第２の態様において、前記装置本体の上部において回動可能に設けられ、回動することにより開閉可能なスキャナユニットと、前記スキャナユニットに設けられて前記スキャナユニットとともに回動する操作パネルユニットと、を備え、前記操作パネルユニットは、前記スキャナユニットが閉じた状態において装置前面を構成するとともに、当該操作パネルユニットの下縁が前記排出口を形成することを特徴とする。
【００１３】
本態様によれば、スキャナユニットが閉じた状態において装置前面を構成するとともに下縁が媒体排出口を形成する操作パネルユニットが、スキャナユニットに設けられているので、スキャナユニットを開くと、媒体排出口の上方が大きく開放された状態となる。従ってこれにより、スキャナユニットの開き角度を大きく確保することなく、紙ジャム処理やインクカートリッジ交換等の各種作業の作業用スペースを大きく確保することができ、前記各種作業の作業性を向上させることができる。
【００１４】
本発明の第４の態様は、第３の態様において、前記右ハウジング部材及び前記左ハウジング部材のそれぞれの上面高さが、装置前方側に向かって低くなることを特徴とする。  
本態様によれば、前記排出口の左右を構成する右ハウジング部材及び左ハウジング部材のそれぞれの上面高さが装置前方側に向かって低くなるので、スキャナユニットを開いた際により一層装置奥方に手を差し入れ易くなり、上記各種作業の作業性がより一層向上する。
【図面の簡単な説明】
【００１５】
【図１】本発明に係るインクジェットプリンターの外観斜視図（スキャナユニット閉状態）。
【図２】本発明に係るインクジェットプリンターの外観斜視図（スキャナユニット開状態）。
【図３】本発明に係るインクジェットプリンターの正面図（スキャナユニット開状態）。
【図４】本発明に係るインクジェットプリンターの側断面図（スキャナユニット開状態）。
【図５】ベースフレームに左右ハウジング部材を取り付けた状態の斜視図（上方から）。
【図６】ベースフレームに左右ハウジング部材を取り付けた状態の斜視図（下方から）。
【図７】ベースフレーム、左右ハウジング部材、のこれらの分解斜視図。
【図８】（Ａ）は図５のＡ部拡大図、（Ｂ）はＡ部の断面図。
【図９】（Ａ）は図５のＢ部拡大図、（Ｂ）はＢ部の断面図。
【図１０】（Ａ）は図５のＣ部拡大図、（Ｂ）はＣ部の断面図。
【図１１】（Ａ）は図５のＤ部拡大図、（Ｂ）はＤ部の断面図。
【図１２】（Ａ）は図５のＥ部拡大図、（Ｂ）はＥ部の断面図。
【図１３】（Ａ）は図５のＧ部拡大図、（Ｂ）はＧ部の断面図。
【発明を実施するための形態】
【００１６】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００１７】
図１は、本発明に係る記録装置の一例としてのインクジェットプリンター１の外観斜視図（スキャナユニット３閉状態）、図２は同外観斜視図（スキャナユニット３開状態）、図３は同正面図（スキャナユニット開状態）、図４は同側断面概略図（スキャナユニット３開状態）である。尚、図４は断面概略図であり、説明に必要な構成要素は適宜図示を省略している。
【００１８】
また、図５はベースフレーム３８に右ハウジング部材４０及び左ハウジング部材４２を取り付けた状態の斜視図（上方から）、図６は同斜視図（下方から）、図７はベースフレーム３８、右ハウジング部材４０、左ハウジング部材４２、のこれらの分解斜視図である。
【００１９】
更に、図８（Ａ）は図５のＡ部拡大図、図８（Ｂ）はＡ部の断面図、図９（Ａ）は図５のＢ部拡大図、図９（Ｂ）はＢ部の断面図、図１０（Ａ）は図５のＣ部拡大図、図１０（Ｂ）はＣ部の断面図、図１１（Ａ）は図５のＤ部拡大図、図１１（Ｂ）はＤ部の断面図、図１２（Ａ）は図５のＥ部拡大図、図１２（Ｂ）はＥ部の断面図、図１３（Ａ）は図５のＧ部拡大図、図１３（Ｂ）はＧ部の断面図である。  
以上の各図においてｘ−ｙ−ｚ座標系は方向を示すものであり、ｚ方向は鉛直方向（装置高さ方向）、ｙ方向は用紙搬送及び排出方向（装置前後方向）、ｘ方向は用紙幅方向（装置左右方向）を示している。
【００２０】
尚、図４のＦ部構造は同図Ｅ部構造と同様であり、また図４のＨ部構造は同図Ｇ部構造と同様であるので、以下において図４のＦ部及びＨ部の拡大図示、断面図示、そしてその説明については省略する。
【００２１】
図１〜図４において、インクジェットプリンター１は、媒体の一例としての記録用紙にインクジェット記録を行う記録部（装置本体）２の上部に回動体としてのスキャナユニット３を備えており、即ちインクジェット記録機能に加えてスキャナ機能を備える複合機として構成されている。
【００２２】
記録部２は、インクジェットプリンター１の装置本体を構成し、スキャナユニット３は、記録部２に対して回動可能に設けられており、回動することにより、閉じた状態（図１）と開いた状態（図２、図３、図４）とをとり得る。尚、スキャナユニット３の回動軸は図４に符号３ａで示されている。
【００２３】
そしてスキャナユニット３が開くことにより、キャリッジ２８に搭載されたインクカートリッジ３２Ａ、３２Ｂ、３２Ｃ、３２Ｄの交換作業や、紙ジャムが生じた際のジャム処理作業（用紙の取り除き作業）などが行える様になっている。
【００２４】
スキャナユニット３が開いた状態は、アーム（支柱、或いは衝立、或いは支持部材とも言う）１７により維持される。アーム１７は、その一端側（上側）が、スキャナユニット３に対してアーム取付部１４（図３、図４）を介して回動可能に支持されている。そしてスキャナユニット３が開いた状態において、アーム１７の他端側（下側）の被支持部１７ｂが、記録部２のベースを構成するベースフレーム３８に設けられたアーム支持部３８ｋに支持されることにより、スキャナユニット３の開いた状態が維持される様になっている。
【００２５】
尚、被支持部１７ｂの上部には被支持部１７ｃが設けられており、スキャナユニット３を半開きの状態で一旦止めることができる様になっている。これにより、スキャナユニット３が全開状態（図２、図３、図４）から全閉状態（図１）へと一気に回動することを防止でき、衝突音の発生や部材の破損などを防止できる様になっている。
【００２６】
スキャナユニット３において上部のカバー４は開閉可能なカバーであり、当該カバー４を開放することにより、スキャナユニット３の図示しない原稿台が表れる様になっている。  
装置前面において符号６は記録が行われて排出された用紙を受ける排紙受けトレイである。排紙受けトレイ６は引き出し式に構成され、図１、図２、図３は収納された状態を示している。
【００２７】
符号９は、電源ボタンや各種印刷設定・記録実行を行う操作ボタン、印刷設定内容や印刷画像のプレビュー表示などを行う表示部、等を備えて成る操作パネルであり、符号８は当該操作パネルを備えるパネルユニットである。
【００２８】
以上の操作パネル９を備えたパネルユニット８は、スキャナユニット３に設けられており、スキャナユニット３の回動に従ってスキャナユニット３と一体に変位（回動）する様になっている。
【００２９】
符号２８はキャリッジであり、このキャリッジ２８の底部に記録ヘッド３１が設けられている。キャリッジ２８が用紙幅方向に移動する過程において記録ヘッド３１からインクが吐出されることにより、用紙に記録が実行される。
【００３０】
図４に示す様に、記録ヘッド３１と対向する位置には用紙を支持する支持部材３３が設けられ、この支持部材３３の上流側には用紙搬送手段を構成する搬送駆動ローラー２５と搬送従動ローラー２６とが設けられている。
【００３１】
搬送駆動ローラー２５と搬送従動ローラー２６の更に上流側には、用紙給紙部を構成する給送ローラー２２と用紙支持部２１とが設けられている。用紙支持部２１は上部の揺動軸（不図示）を中心に揺動することにより、載置されている用紙を給送ローラー２２に圧接させる姿勢と離間させる姿勢とを切り換える。給送ローラー２２は、回転することにより、用紙を下流側の搬送駆動ローラー２５と搬送従動ローラー２６とに向けて給送する。
【００３２】
記録ヘッド３１及び支持部材３３の下流側には、記録の行われた用紙を排紙受けトレイ６に向けて排出する排出手段を構成する、第１ローラーとしての排出駆動ローラー３４と、当該排出駆動ローラー３４に接して従動回転する、第２ローラーとしての排出従動ローラー３５とが設けられている。排出従動ローラー３５は、用紙幅方向（装置の左右方向、図４の紙面表裏方向）に延びるフレーム部材３６において、用紙幅方向に沿って適宜の間隔で支持されている。
【００３３】
以上の構成を備えた本発明に係るインクジェットプリンター１において、スキャナユニット３が閉じた状態では、操作パネル９を備えたパネルユニット８が、装置前面を構成している。符号８ａはパネルユニット８（操作パネル９）のパネル面を示しており、このパネル面８ａは記録部２の周囲を構成する面のうち排紙口５が形成された前面４０ａ、４２ａとともに、装置前面を構成する。尚、本実施形態において装置前面は略垂直面であり、パネル面８ａと前面４０ａ、４２ａはほぼ面一となる。
【００３４】
そしてスキャナユニット３が閉じた状態では、パネルユニット８の下縁８ｂが、排紙口５を形成する。ここで、パネルユニット８はスキャナユニット３に設けられており、スキャナユニット３ともに回動するので、スキャナユニット３が開くと、図２、図３、図４に示す様に排紙口５から装置奥方の上方が全て開放された状態となる。
【００３５】
図３において符号Ａは、スキャナユニット３を開いた状態においてユーザーが装置内部に手を差し入れることが可能な空間（以下「作業空間」と言う）を示している。図示する様にスキャナユニット３が開いた状態では作業空間Ａにパネルユニット８が存在せず、これにより装置前方から奥方に向かって作業空間Ａは大きく確保される。特に、図４において符号８’はスキャナユニット３が閉じた状態でのパネルユニット８の占める領域を示しているが、この領域がスキャナユニット３を開くことで、完全に開放される。
【００３６】
これにより、スキャナユニット３の開き角度を大きく確保することなく、紙ジャム処理やインクカートリッジ交換等の作業の作業用スペースを大きく確保することができ、その作業性をより一層向上させることができる。また、排紙受けトレイ６の上方が大きく開放されるので、小型サイズの用紙などを容易に取り出すことができる。
【００３７】
特に本実施形態では、排紙従動ローラー３５を支持するフレーム部材３６の上縁３６ａが、図３に示す様に装置正面視において当該フレーム部材３６ａより装置奥方領域へ装置前方側からアクセスする際のアクセス口下縁（作業空間Ａの下縁）を形成する。従って、スキャナユニット３を開いた際に記録部（装置本体）２において排紙口５から装置奥方に位置するフレーム部材３６までの媒体搬送経路の上方には何らの構成要素も存在しない。これにより、特に紙ジャム処理を行う際の作業性がより一層向上している。
【００３８】
加えて本実施形態では、排紙口５の左右を構成する右ハウジング部材４０及び左ハウジング部材４２のそれぞれの上面高さが装置前方側に向かって低くなる。具体的には、右ハウジング部材４０の上面は、後方上面部４０ｂと、後方上面部４０ｂから装置前方側に向かって下がる傾斜面４０ｃと、後方上面部４０ｂより低い前方上面部４０ｄと、で構成されている。同様に左ハウジング部材４２の上面は、後方上面部４２ｂと、後方上面部４２ｂから装置前方側に向かって下がる傾斜面４２ｃと、後方上面部４２ｂより低い前方上面部４２ｄと、で構成されている。従ってスキャナユニット３を開いた際に、装置前方側が大きく開き、より一層作業空間Ａに手を差し入れ易くなる。
【００３９】
続いて、記録部（装置本体）２のハウジング構造について詳説する。図５〜図７において、記録部２のベースはベースフレーム３８により構成されており、このベースフレーム３８に対して、図４を参照しつつ説明した用紙搬送経路上の各構成要素が組み付けられ、また本実施形態ではスキャナユニット３もベースフレーム３８に対して回動可能に組み付けられている。
【００４０】
そしてこのベースフレーム３８の両サイドに、記録部２の外観を構成する右ハウジング部材４０と左ハウジング部材４２とが、後述する取付手段により取り付けられる。更に、後部ハウジング部材４４が、ベースフレーム３８に対して取り付けられる。尚、ベースフレーム３８、右ハウジング部材４０、左ハウジング部材４２、後部ハウジング部材４４、のこれらは本実施例では樹脂材料により形成されている。
【００４１】
左ハウジング部材４２は、ベースフレーム３８に対し、上部２箇所（図５のＡ部及びＢ部）と下部２箇所（図６のＥ部及びＦ部）で固定される。右ハウジング部材４０も同様に、ベースフレーム３８に対し、上部２箇所（図５のＣ部及びＤ部）と下部２箇所（図６のＧ部及びＨ部）で固定される。  
本実施形態では、ハウジング上部での固定（図５のＡ〜Ｄ部）はねじ固定であり、ハウジング下部での固定（図６のＥ〜Ｈ部）はフック式の固定が用いられる。
【００４２】
以下、各固定部位について説明する。ベースフレーム３８の前方側には、装置前後方向（ｙ方向）に延びる、鉛直方向（ｚ方向）に沿って立設された右側垂直壁部３８ａと左側垂直壁部３８ｂとが形成されている。即ち、右側垂直壁部３８ａ及び左側垂直壁部３８ｂは、ｙ−ｚ平面に平行な面を成している。
【００４３】
図８（Ａ）、（Ｂ）は、左側垂直壁部３８ｂに対する左ハウジング部材４２（前方上面部４２ｄ）の固定部位（図５のＡ部）を示している。左側垂直壁部３８ｂにはねじ４６が螺合するねじ孔が形成されたねじ固定部３８ｃが形成されており、左ハウジング部材４２の前方上面部４２ｄにはねじ４６が挿通されるねじ受け部４２ｇが形成され、ねじ４６によって左側垂直壁部３８ｂと左ハウジング部材４２とが固定される。尚、板状部としての前方上面部４２ｄは、左側垂直壁部３８ｂと直交する面（ｘ−ｙ平面に平行な面）を成している。
【００４４】
尚、符号３８ｍは、ベースフレーム３８の左側垂直壁部３８ｂに形成されたボスであり、符号４２ｍは、左ハウジング部材４２に形成された孔であり、この孔４２ｍとボス３８ｍとが嵌合することで、ベースフレーム３８に対する左ハウジング部材４２のｘ−ｙ平面方向での位置が定まる様になっている。また、符号Ｔ１、Ｔ２は、左側垂直壁部３８ｂの頂部と左ハウジング部材４２（前方上面部４２ｄ）の裏面とが当接する位置の一部を示しており、この様に両者が当接することで、左ハウジング部材４２の前方上面部４２ｄに上方から荷重が加わっても、当該前方上面部４２ｄが撓まない様になっている。
【００４５】
同様に、図１０（Ａ）、（Ｂ）は、右側垂直壁部３８ａに対する右ハウジング部材４０（前方上面部４０ｄ）の固定部位（図５のＣ部）を示している。右側垂直壁部３８ａにはねじ４８が螺合するねじ孔が形成されたねじ固定部３８ｅが形成されており、右ハウジング部材４０の前方上面部４０ｄにはねじ４８が挿通されるねじ受け部４０ｅが形成され、ねじ４８によって右側垂直壁部３８ａと右ハウジング部材４０とが固定される。尚、板状部としての前方上面部４０ｄは、右側垂直壁部３８ａと直交する面（ｘ−ｙ平面に平行な面）を成している。
【００４６】
尚、符号３８ｎは、ベースフレーム３８の右側垂直壁部３８ａに形成されたボスであり、符号４０ｎは、右ハウジング部材４０に形成された孔であり、この孔４０ｎとボス３８ｎとが嵌合することで、ベースフレーム３８に対する右ハウジング部材４０のｘ−ｙ平面方向での位置が定まる様になっている。また、符号Ｔ３、Ｔ４は、右側垂直壁部３８ａの頂部と右ハウジング部材４０（前方上面部４０ｄ）の裏面とが当接する位置の一部を示しており、この様に両者が当接することで、右ハウジング部材４０の前方上面部４０ｄに上方から荷重が加わっても、当該前方上面部４０ｄが撓まない様になっている。
【００４７】
以上説明した図５のＡ部及びＣ部における固定構造は、単なるねじ固定構造ではなく、ねじ４６が摩擦発生手段となって左側垂直壁部３８ｂの上端部と前方上面部４２ｄ（の裏面）とを密着させ、両者の間に装置前後方向に沿って摩擦力を発生させる固定構造である。また、ねじ４８が摩擦発生手段となって、右側垂直壁部３８ａの上端部と前方上面部４０ｄ（の裏面）とを密着させ、両者の間に装置前後方向に沿って摩擦力を発生させる固定構造である。
【００４８】
即ち、上述した様にパネルユニット８はスキャナユニット３に取り付けられており、右ハウジング部材４０と左ハウジング部材４２とを接続する機能を有していない。そして排紙口５が大きく開放された状態となっているため、装置本体（記録部２）の全体的な剛性が低下する虞がある。
【００４９】
しかしながら、上述の様に装置前後方向に延びる左側垂直壁部３８ｂの上端部と前方上面部４２ｄ（の裏面）との間、及び右側垂直壁部３８ａの上端部と前方上面部４０ｄ（の裏面）との間に装置前後方向に沿って摩擦力を生じさせる構成であるので、パネルユニット８によって右ハウジング部材４０と左ハウジング部材４２とを接続せずとも、高い剛性のハウジング構造を得ることができる。特に、図５の矢印Ｆ方向で示す力が作用した場合（ｘ軸まわりに捻れが作用した場合）に、これに有効に対抗することができる剛性が得られる。
【００５０】
以下、その他の部分の固定構造について説明する。図９（Ａ）、（Ｂ）は、図５のＢ部固定構造を示している。ベースフレーム３８の後方上部左側には、ねじ４７が螺合するねじ孔が形成されたねじ固定部３８ｄが形成されており、左ハウジング部材４２の後方上部にはねじ４７が挿通されるねじ受け部４２ｊが、ねじ挿入孔４２ｈの奥方に形成され、ねじ４７によってベースフレーム３８後方上部左側と左ハウジング部材４２後方上部とが固定される。
【００５１】
図１１（Ａ）、（Ｂ）は、図５のＤ部固定構造を示している。ベースフレーム３８の後方上部右側には、ねじ４９が螺合するねじ孔が形成されたねじ固定部３８ｆが形成されており、右ハウジング部材４０の後方上部にはねじ４９が挿通されるねじ受け部４０ｆが形成され、ねじ４９によってベースフレーム３８後方上部右側と右ハウジング部材４０後方上部とが固定される。尚、後部ハウジング部材４４の右側固定部４４ａが、ベースフレーム３８と右ハウジング部材４０との間にサンドイッチされ、ねじ４９によって同時に固定される様になっている。
【００５２】
図１２（Ａ）、（Ｂ）は、図６のＥ部固定構造を示している。左ハウジング部材４２の前方下部には、左ハウジング部材４２から装置中央方向に突出する様に、ｘ方向に延びる形状を成すフック４２ｋが、装置前後方向に適宜の間隔を開けて２つ形成されている（図７において右ハウジング部材４０に形成されたフック４０ｇ、４０ｇと同様）。
【００５３】
一方、ベースフレーム３８の前方下部左側には、フック係止部３８ｇが形成されており、このフック係止部３８ｇにフック４２ｋが係止することにより、ベースフレーム３８前方下部左側と左ハウジング部材４２前方下部とが固定される。尚、図６のＦ部固定構造は、図１２（Ａ）、（Ｂ）に示した上記Ｅ部固定構造と同様であるので、図示及びその説明は省略する。
【００５４】
図１３（Ａ）、（Ｂ）は、図６のＧ部固定構造を示している。右ハウジング部材４０の前方下部には、右ハウジング部材４０から装置中央方向に突出する様に、ｘ方向に延びる形状を成すフック４０ｇが、装置前後方向に適宜の間隔を開けて２つ形成されている（図７も参照）。
【００５５】
一方、ベースフレーム３８の前方下部右側には、フック係止部３８ｈが形成されており、このフック係止部３８ｈにフック４０ｇが係止することにより、ベースフレーム３８前方下部右側と右ハウジング部材４０前方下部とが固定される。尚、図６のＨ部固定構造は、図１３（Ａ）、（Ｂ）に示した上記Ｇ部固定構造と同様であるので、図示及びその説明は省略する。
【００５６】
以上説明した各実施形態は一例であり、本発明がこれら各実施形態に限られないことは言うまでもない。例えば図５のＡ〜Ｄ部固定構造ではねじ固定を採用したが、接着等のその他固定構造を採用できる。また例えば図５のＡ部固定構造と同様な固定構造を、Ｂ部固定構造に採用することもできるし、同様に図５のＣ部固定構造と同様な固定構造を、Ｄ部固定構造に採用することもできる。また、図６のＥ〜Ｈ部固定構造を、フック係止構造に代えて、ねじ固定構造に代えることもできる。
【００５７】
また、実施形態では本発明を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００５８】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００５９】
１  インクジェットプリンター、２  記録部（装置本体）、３  スキャナユニット、３ａ  回動軸、４  カバー、５  排紙口、６  排紙受けトレイ、８  パネルユニット、８ａ  パネル面、８ｂ  下縁、９  操作部、１４  アーム取付部、１７  アーム、１７ａ  回動軸、
１７ｂ  被支持部、２１  用紙支持部、２２  給送ローラー、２５  搬送駆動ローラー、
２６  搬送従動ローラー、２８  キャリッジ、３１  記録ヘッド、３２Ａ〜３２Ｄ  インクカートリッジ、３３  支持部材、３４  排出駆動ローラー、３５  排出従動ローラー、３６  フレーム部材、３８  ベースフレーム、３８ａ  右側垂直壁部、３８ｂ  左側垂直壁部、３８ｃ〜３８ｆ  ねじ固定部、３８ｇ、３８ｈ  フック係止部、３８ｋ  アーム支持部、４０  右ハウジング部材、４０ａ  前面、４０ｂ  後方上面部、４０ｃ  傾斜面、４０ｄ  前方上面部、４０ｅ  ねじ受け部、４０ｆ  ねじ受け部、４０ｇ  フック、４２  左ハウジング部材、４２ａ  前面、４２ｂ  後方上面部、４２ｃ  傾斜面、４２ｄ  前方上面部、４２ｅ  アーム支持部、４２ｆ  開口部、４２ｇ  ねじ受け部、４２ｈ  孔、４２ｊ  ねじ受け部、４２ｋ  フック、４４  後部ハウジング部材、４６〜４９  固定ねじ
【図１】
2013146996.tif 000003
【図２】
2013146996.tif 000004
【図３】
2013146996.tif 000005
【図４】
2013146996.tif 000006
【図５】
2013146996.tif 000007
【図６】
2013146996.tif 000008
【図７】
2013146996.tif 000009
【図８】
2013146996.tif 000010
【図９】
2013146996.tif 000011
【図１０】
2013146996.tif 000012
【図１１】
2013146996.tif 000013
【図１２】
2013146996.tif 000014
【図１３】
2013146996.tif 000015